Podtech/llm-jp-corpus-v4-ja_patent huggingface dataset:
(57)【要約】      （修正有）【課題】釘打ち用エアガンと釘打ち用フィニッシュとを体に携帯する事により、作業性を改善できる携帯釘打ち用フィニッシュとエアガン用のホルダーを提供する。【解決手段】携帯釘打ち用のフィニッシュとエアガンのプラスチック製ホルダーの後ろに前記釘打ち用のフィニッシュとエアガンを収納するための開口部を有する収納部を設け、更に釘打ち用エアガンや釘打ち用フィニッシュの釘が出るところの部分に鉄板１２でそれぞれ覆うとともに胸の前で携帯するためのベルト３を付設して、携帯釘打ち用のフィニッシュとエアガン用のホルダーを構成する。【選択図】図１
0003150390.tif 000002
【実用新案登録請求の範囲】
【請求項１】
携帯釘打ち用のフィニッシュとエアガンのプラスチック製ホルダーの後ろに前記釘打ち用のフィニッシュとエアガンを収納するための開口部を有する収納部をそれぞれ有し、更に釘打ち用エアガンや釘打ち用フィニッシュの釘が出るところの部分に鉄板でそれぞれ覆うとともに胸の前で携帯するためのベルトを有することを特徴とする携帯釘打ち用のフィニッシュとエアガンのプラスチック製ホルダー。
【考案の詳細な説明】
【技術分野】
【０００１】
本考案は、携帯釘打ち用フィニッシュとエアガンのホルダー（以下ホルダーという。）を体に携帯し、釘打ち用エアガンや釘打ち用フィニッシュを納めることにより作業効率を改善し、釘打ち用エアガンや釘打ち用フィニッシュも大切にするというものである。
【背景技術】
【０００２】
今までのやり方だと、親方がいちいち子方に取ってもらわなければならず不自由だった。
【考案の開示】
【考案が解決しようとする課題】
【０００３】
作業効率の向上と釘打ち用エアガンと釘打ち用フィニッシュの落下防止、保護。
【課題を解決するための手段】
【０００４】
携帯釘打ち用のフィニッシュとエアガンのプラスチック製ホルダーの後ろに前記釘打ち用のフィニッシュとエアガンを収納するための開口部を有する収納部をそれぞれ有し、更に釘打ち用エアガンや釘打ち用フィニッシュの釘が出るところの部分に鉄板でそれぞれ覆うとともに胸の前で携帯するためのベルトを有することを特徴とする携帯釘打ち用のフィニッシュとエアガンのプラスチック製ホルダーといったプラスチック製のホルダーと言う本体の後ろに釘打ち用エアガンと釘打ち用フィニッシュの持ち手部分のための開口部をそれぞれもうけ、釘打ち用エアガンや釘打ち用フィニッシュの釘が出るところの部分から釘をはなってしまっても安全にするために鉄板でそれぞれ覆った、ベルトで釘打ち用フィニッシュと釘打ち用エアガンを共に胸の辺りに携帯し、親方がいちいち子方にとってもらわなくてもいいので、作業効率があがり、従来のようにおいて置いて釘打ち用エアガンや釘打ち用フィニッシュを落下させたりすることがない、一人で作業し移動する。そういうことをする。
【考案の効果】
【０００５】
作業効率を上げ、釘打ち用エアガンや釘打ち用フィニッシュを大切に使える。
【考案を実施するための最良の形態】
【０００６】
胸の辺りにホルダーを携帯し釘打ち用エアガンと釘打ち用フィニッシュを格納する。
【図面の簡単な説明】
【０００７】
【図１】ホルダーの全体図
【図２】ホルダーを上から見た図
【図３】ホルダーの斜視図
【図４】ホルダーの背面図
【図５】ホルダー口金の縦断面を示す図
【符号の説明】
【０００８】
１ホルダー口金
２ホルダー本体
３ベルト
３A ベルト
４エアガンの持ち手部分のための開口部
５ボルト
10フィニッシュの格納位置
12鉄板
【図１】
0003150390.tif 000003
【図２】
0003150390.tif 000004
【図３】
0003150390.tif 000005
【図４】
0003150390.tif 000006
【図５】
0003150390.tif 000007
(57)【要約】      （修正有）【課題】足元照明に加えて前後左右の遠くまで届いて確認される護身用の赤色発光の付いた傘を提供する。【解決手段】折畳み傘１の支柱２の手持ち側端に螺挿によって着脱自在に握り３を取付けする。この握り３は、縦長５ｃｍほどの円筒形をした側壁の全面を半透明のプラスチック材にて形成し、内部中間に交換自在な電池を収納し、下部に足元照明用として４個の白色ＬＥＤライト５を下向きに設け、さらに２個の護身用の赤色ＬＥＤライト６を外方に向けて設けて、半透明の握り３を透して危険信号である赤色発光が前後左右の遠方にまで届くようにする。点灯用スイッチ７は１回押すと白色ＬＥＤライト５が発光し、２回押すと赤色ＬＥＤライト６も点滅を含んで発光し、３回押すと赤色ＬＥＤライト６のみが発光し、４回押すと全部がＯＦＦになるように設定する。【選択図】図１
0003150361.tif 000002
【実用新案登録請求の範囲】
【請求項１】
傘の支柱に着脱自在に取付ける握りの全面を半透明体にて形成し、該握りに交換自在な電池につながる照明用の白色ＬＥＤライトと外方に向けて照射する護身用の赤色ＬＥＤライトとを設けたことを特徴とする護身用の赤色発光付きの傘。
【請求項２】
白色ＬＥＤライトは４個で、それぞれのカバーレンズをドーム型にして足元を広角的に照明する請求項１に記載の傘。
【請求項３】
赤色ＬＥＤライトは２個で、その赤色発光は前後左右の遠方にまで届くように外方に向けて取付けた請求項１または２に記載の傘。
【考案の詳細な説明】
【技術分野】
【０００１】
本考案は護身用の赤色発光付きの傘に関するものである。
【背景技術】
【０００２】
足元を照明する照明付きの傘としては登録実用新案第３０５５７６７号公報がある。該公報は握りの最下端部に電球部材を設けて内蔵する電池に接続し、スイッチの開閉にて発光するようにしたことを記載している。
【先行技術文献】
【特許文献】
【０００３】
【特許文献１】登録実用新案第３０５５７６７号公報
【考案の概要】
【考案が解決しようとする課題】
【０００４】
しかしながら、該公報はもっぱら足元のみを照明するにとどまっていて、前後左右の離れたところには照明が届かないので、走行する自動車などより存在を確認してもらえないために護身用としては役に立たないという課題があった。
【課題を解決するための手段】
【０００５】
本考案は、傘の握りの全面を半透明体にて形成するとともに、外方に向けて危険予防となる赤色発光のＬＥＤライトを設けて、前後左右の遠方からでも存在を確認することができるようにして、かかる課題を解決したのである。
【考案の効果】
【０００６】
本考案は、傘の握りの全面を半透明体にして、この半透明体を通して前後左右の遠方からでも存在を確認することができるように外方に向けて発光する赤色ＬＥＤライトを設けたので、歩行時に対向車などから存在を確認されることにより、交通事故などを防いで護身されるという効果を生ずる。照明用の白色ＬＥＤライトにて足元を照らして足元の安全も図ることができるという効果を生ずる。
【図面の簡単な説明】
【０００７】
【図１】本考案の一実施例を傘を開いた状態にて示す正面図
【図２】同、握り部分の拡大図
【図３】（ａ）は握りを支柱から外して懐中電灯として使用する状態を示す正面図、（ｂ）は傘の立て置き（インテリアライト）状態を示す正面図
【図４】立方体形をした握りとカバーの形状例を示す斜視図
【考案を実施するための形態】
【０００８】
本考案は、傘の支柱に着脱自在に取付ける握りの全面を半透明体にて形成し、該握りに交換自在な電池につながる照明用の白色ＬＥＤライトと外方に向けて照射する護身用の赤色ＬＥＤライトとを設けた護身用の赤色発光付きの傘にある。
【実施例１】
【０００９】
図１乃至図２は本考案の一実施例を示すもので、折畳み傘１の支柱２の手持ち側端に螺挿によって着脱自在に握り３を取付けする。この握り３は、縦長５ｃｍほどの円筒形をした側壁３ａの全面を半透明のプラスチック材にて形成し、内部中間に交換自在な電池４を収納し、下部に足元照明用として４個の白色ＬＥＤライト５を下向きに設け、さらに２個の護身用の赤色ＬＥＤライト６を外方に向けて設けて、半透明の握り３を透して危険信号である赤色発光が前後左右の遠方にまで届くようにする。なお、赤色ＬＥＤライト６は半透明の握り３の側壁の内側に外向き照射形に取付けることもある。また白色ＬＥＤライト５と赤色ＬＥＤライト６の各個数は増減することもある。７は握り３の上部外面に設けた点灯用スイッチ、８は白色ＬＥＤライト５を覆うカバーレンズである。
【００１０】
握り３の下部は握ったときに手の下に出るように下ぶくれ形状にて形成し、また持ち手の指がずれないように外面に滑り止め溝などを形成することもある。握り３はＬＥＤライト５，６を設けた下部の側面のみを半透明体または透明体とすることもある。
【００１１】
点灯用スイッチ７は１回押すと白色ＬＥＤライト５が発光し、２回押すと赤色ＬＥＤライト６も点滅を含んで発光し、３回押すと赤色ＬＥＤライト６のみが発光し、４回押すと全部がＯＦＦになるように設定している。ＯＮとＯＦＦだけの単純な切替設定にすることもある。
【００１２】
本考案の傘１を照明用に使用するときは、点灯用スイッチ７を押して白色ＬＥＤライト５を点灯して足元を照らして歩行の安全を図り、夜間の道路歩行時などに交通事故防止用として使用するときはスイッチ７を切替えて赤色ＬＥＤライト６を発光させるのである。外方に向けて照射する赤色ＬＥＤライト６は半透明の握り３を透過して前後左右の遠方にまで危険照明として届くため、自動車運転者などに注意を強く喚起して交通事故等を予防するものとなる。
【００１３】
折畳み傘１を持ちさしたときは、白色ＬＥＤライト５がレンズカバー８を透して広角的に足元を照明して歩行の安全を図るとともに外方に向けて照射される赤色ＬＥＤライト６が交通事故などを予防することとなる。
【００１４】
握り３は着脱自在によって柄違いの別の傘１に付け替えたり，新しい傘１の握りとして取付けることもできる。また傘１からはずして懐中電灯として使用することもできる。
【００１５】
また握り３に自立性を持たせることで、傘の立て置きに用いることもでき、またカバー１ａを被せたまま立ててインテリアライトとして使用することもできる。折畳み傘１の握り３は図４に示すように立方（多角）体形にて形成することもある。１ｂは握り３とコーディネートしたプラスチック製のカバーである。
【産業上の利用可能性】
【００１６】
本考案は前後左右の遠方まで届いて確認される護身用の赤色発光の付いた足元照明用の傘として広く利用されるものである。
【符号の説明】
【００１７】
１は折畳み傘
１ａ，１ｂはカバー
２は支柱
３は握り
４は電池
５は照明用の白色ＬＥＤライト
６は護身用の赤色ＬＥＤライト
７は点灯用スイッチ
８はカバーレンズ
【図１】
0003150361.tif 000003
【図２】
0003150361.tif 000004
【図３】
0003150361.tif 000005
【図４】
0003150361.tif 000006
(57)【要約】      （修正有）【課題】指かけ部を付加し、片手でのボタン操作を容易にした携帯電話器の突き出し操作用具を提供する。【解決手段】手の平に握れる形状の物体の一片に蝶番を設置し、その蝶番を携帯電話器の裏面下方部に設置して指かけ部を構成する。使用に当たっては、該指かけ部に小指又は薬指を引っ掛けることにより、携帯電話器を安定的に保持し、キーボタン類をタッチする親指は、より遠くまでのばして操作できる様になる。【選択図】図３
0003150759.tif 000002
【実用新案登録請求の範囲】
【請求項１】
本考案は、携帯電話器に、掴み部を付加するものである。
【請求項２】
携帯電話器の下部、手元部の方に指をかけて、携帯電話器の片手操作をしやすくする為に考案したものである。
【考案の詳細な説明】
【技術分野】
【０００１】本考案は、携帯電話器に指かけ部を付加したものである。
【背景技術】
【０００２】従来は、経済性、デザイン上コンパクトな形式である為、現代社会のファッション性まで加味さらているとは言い難い。
【考案の開示】
【考案が解決しようとする課題】
【０００３】携帯電話器の、ボタンキーのタッチ操作は片手持ち、片手打ち操作である。
これが現代のファッションである。
【課題を解決するための手段】
【０００４】本考案は、携帯電話器を片手で操作する際、携帯電話器を出来るだけ上手に突き上げなければ親指で行うボタンタッチがやりづらいのである。
本考案の下方に握り部を設置することによってその問題が解消されるのである。
【考案の効果】
【０００５】本考案は、従来の携帯電話器の操作中の不安定さからも解放されるのである。
【実施例】
【０００６】本考案の、指かけ部に小指、又は、薬指を引っ掛けることにより、重量感のある携帯は安定し、キーボタン類をタッチする親指は、より遠くまでのびるのである。
【図面の簡単な説明】
【０００７】
【図１】本考案が、携帯電話に収納されている図である。
【図２】本考案の、側面図である。
【図３】本考案の、イラスト図である。
【符号の説明】
【０００８】１  本考案の、携帯電話器突き出し操作、握り部。
２  本考案の、握り部を収納する為の蝶番である。
【図１】
0003150759.tif 000003
【図２】
0003150759.tif 000004
【図３】
0003150759.tif 000005
【手続補正書】
【提出日】平成21年2月26日(2009.2.26)
【手続補正１】
【補正対象書類名】実用新案登録請求の範囲
【補正対象項目名】全文
【補正方法】変更
【補正の内容】
【実用新案登録請求の範囲】
【請求項１】
手の平に握れる形状の物体の一片に蝶番を設置し、その蝶番を携帯電話器の裏面下方部に設置したことを特長とする携帯電話器突き出し操作用具。
(57)【要約】      （修正有）【課題】シール加工の施されたノンカーボン用紙を使用して、医療機関が面会申請者に用いる、面会申請書と面会許可証を同時に作成できる面会許可証を提供する。【解決手段】面会許可証２を、面会申請者が自ら着用している衣服や身体に直接貼り付けられるよう、シール糊３が塗布され、その粘着面が剥離紙４で保護された、シール加工の施された紙製とすることにより、使用後の返却が不要な使い捨てとし、使用する紙にはノンカーボン用紙を使用することによって、面会申請書１と面会許可証２を同時に作成できるようにし、面会申請と面会許可の手続きや、管理の簡素化や省力化を図る。よって面会申請者の利便と、省力化と安全を求める医療機関の利便を同時に実現するのに役立つ。【選択図】図４
0003150753.tif 000002
【実用新案登録請求の範囲】
【請求項１】
シール加工を施したノンカーボン用紙を使用して、医療機関が入院患者との面会を希望する者に、作成を求める面会申請書と、医療機関内に滞在中着用を求める面会許可証を、同時に作成することのできる、複写式面会申請書兼シール貼り付け式面会許可証
【考案の詳細な説明】
【技術分野】
【０００１】  本考案は、医療機関が使用する、入院患者への面会申請書と、使用後は使い捨てが可能な、シール貼り付け式の面会許可証を同時に作成できる、複写式面会申請書兼シール貼り付け式面会許可証に関するものである。
【背景技術】
【０００２】  大抵の医療機関は入院患者との面会を希望する者に対し、面会申請書の作成を依頼し、面会許可済である証拠となる面会許可証を、医療機関内に滞在する間、バッジなどの形で身に着けるように取り決めている。
【考案の開示】
【考案が解決しようとする課題】
【０００３】  面会希望者にとっては、面会申請書を記入するだけでなく、面会許可証を借り受け、面会後にそれを返却する手続きは、かなり面倒で複雑に思わるため敬遠されがちである。よって医療機関にとって、患者の安全を確保する責務がなおざりにされやすい。また医療機関が貸し出した面会許可証を、全ての面会者が面会後に返還をするよう、確実に見届けることも難しい。従って、面会申請書と面会許可証を簡単に作成し、さらに面会許可証そのものを貸し出すのではなく、使い捨てが可能な貼り付け式にすることにより、前述の欠点を解決しようとするものである。
【課題を解決するための手段】
【０００４】  本考案は、面会許可証をシール加工の施された紙製とすることにより、面会申請者が自ら着用している衣服あ身体に直接貼り付け、使用後は返却をせずに使い捨てられるようにするだけでなく、使用する紙にはノンカーボン用紙を使用することによって、面会申請書と面会許可証を同時に作成できるようにして問題点を解決している。
【考案の効果】
【０００５】  面会申請書と面会許可証を同時に作成できることによって、面会申請者の負担は軽減され、手軽に申請ができるようになる。また面会許可証自体にシール加工が施されているために、簡単に衣服や身体に装着することができ、使用後は返却の必要がないため面会申請者の利便を向上させ、そのために面会申請がより着実に行なわれる事は、医療機関内の安全に寄与することになる。同時に医療機関による面会許可証の貸出返却管理を不要にし、省力化に貢献することである。
【考案を実施するための最良の形態】
【０００６】加工のされていない通常のノンカーボン用紙片である１枚目と、裏面にシール糊が塗布され剥離紙によってその粘着面が保護された２枚目のノンカーボン用紙片との両方に必要な事項を印刷し、互いを任意の方法で合わせ、１組の面会申請書兼許可証とする。面会申請者はこれを受け取ると、１枚目の上から必要事項を記入することにより、同じ内容が２枚目にも複写される。記入後、裏面にシール加工が施されている２枚目を取って剥離紙を剥がし、これを自分の衣服や身体に面会許可証として装着し、１枚目は面会申請書として医療機関窓口に提出する。よって、面会申請書と面会許可証を同時に作成でき、面会許可証は使用後の返却が不要なため使い捨てが可能となる。
【実施例】
【０００７】  以下、添付図面に従って一実施例を説明する。１はノンカーボン用紙片に適宜必要事項を印刷してある面会申請書の表面で、２はノンカーボン用紙片に適宜必要事項を印刷してある面会許可証の表面で、３は２の裏面に塗られてシール糊で、４はシール糊の粘着面を保護する剥離紙である。【０００８】  裏面にシール糊３が塗布され、その粘着面を剥離紙４によって保護されている、シール加工の施された用紙片２と、加工のされていない用紙片１を、互いに任意の方法で合わせることによって、１組の面会申請書兼許可証が完成し、これを面会申請者に提供する。【０００９】  面会申請者は１の表面に必要事項を記入することにより、２の表面にも同じ事項が複写される。その後２を１から分離させ、２から４を剥がし、２の裏面に塗布されている、３つまりシール糊の粘着力によって、２を面会許可証として自分の身体や衣服に装着し、残る１を面会申請書として医療機関窓口に提出する。
【図面の簡単な説明】
【００１０】
【図１】本考案の１組の内１枚目となる面会申請書の表面の平面図である。
【図２】本考案の１組の内２枚目となる面会許可証の表面の平面図である。
【図３】本考案の１組の内２枚目となる面会許可証の裏面の平面図である。
【図４】本考案の１組の１枚目と２枚目を合わせた状態の側面図である。
【符号の説明】
【００１１】  １  面会申請書
２  面会許可証
３  シール糊
４  剥離紙
【図１】
0003150753.tif 000003
【図２】
0003150753.tif 000004
【図３】
0003150753.tif 000005
【図４】
0003150753.tif 000006
【手続補正書】
【提出日】平成21年2月26日(2009.2.26)
【手続補正１】
【補正対象書類名】実用新案登録請求の範囲
【補正対象項目名】全文
【補正方法】変更
【補正の内容】
【実用新案登録請求の範囲】
【請求項１】
加工のされていない通常のノンカーボン用紙片である１枚目と、裏面にシール糊が塗布され剥離紙によってその粘着面が保護された２枚目のノンカーボン用紙片との両方に必要な事項を印刷し、互いを任意の方法で合わせ、１組の面会申請書兼許可証としたことを特徴とする、複写式面会申請書兼シール貼り付け式面会許可証。
(57)【要約】      （修正有）【課題】両端に数ミリの幅の非粘着部を有し、片端にＶ字状の切り込みを数ミリ間隔に２箇所形成することにより、使用後、容易に剥がしやすくするために手指をあてやすくしたローラークリーナーのロールペーパーを提供する。【解決手段】ロールペーパー７の非粘着部５に、Ｖ字状の切り込み４、４ａを設けて手指をあてやすくし、使用後のロールペーパーを切り込み４の斜目角度のミシン目３に添って容易に剥がすことができる。【選択図】図１
0003150752.tif 000002
【実用新案登録請求の範囲】
【請求項１】
ローラークリーナーに装着するロールペーパーは、両端に数ミリの幅の非粘着部を有し、片端にＶ字状の切り込みを数ミリ間隔に２箇所（ダブルカット）形成する。使用後、容易に剥がしやすくするために手指をあてやすくしたロールペーパー。
【請求項２】
ロールペーパーを回転し、ゴミ等を付着させた後、容易にミシン目から一周分を剥がし切り取るために、２箇所あるＶ字状の切り込みの１箇所から斜目角度に長穴状のミシン目を付与した請求項１記載のロールペーパー。
【考案の詳細な説明】
【技術分野】
【０００１】  本考案は、衣服・机上・床等に付着するゴミ、ペットの毛、毛髪等を簡単に除去するローラークリーナーに装着するロールペーパーに関する。
【背景技術】
【０００２】  従来のローラークリーナーに装着するロールペーパーは、衣服・机上・床等の付着物をミシン目より剥がしにくく次の新しい粘着面まで破ることが多く使い勝手が悪い。
【考案の開示】
【考案が解決しようとする課題】
【０００３】  ロールペーパーの粘着面を、使用後剥がしやすく、ミシン目より容易に切れやすくする、これらの課題を解決するのが本考案の目的である。
【課題を解決するための手段】
【０００４】  本考案は、付着物の付いたロールペーパーを一周分剥がしやすくするために、ロールペーパーの片端にＶ字状の切り込みを、数ミリ間隔に２箇所（ダブルカット）形成し指先をあてやすくした。【０００５】  ロールペーパーの粘着面に付着物が多くついたとき、剥がしやすくするためにミシン目は長穴状にし、長穴と長穴の間隔を最小にし切り取りやすくした。【０００６】  ロールペーパーの片端にＶ字状の切り込みを有し、ミシン目にあたる切り込みより、斜目角度にミシン目を設定することにより、容易に剥がしやすくした。
【考案の効果】
【０００７】  上述のように本考案のロールペーパーは、両端に非粘着部を有しその片端にＶ字状の切り込みをミシン目の剥がし始めにあたるようにしてあるため、使用後に一周分のロールペーパーを容易に指先でつまみ剥がすことが出来るようになる。【０００８】  ロールペーパーの片端の非粘着部に設けた、Ｖ字状の２箇所の切り込みの間隔は数ミリにしてあるため、剥がし始めに指先で容易につまみ斜目角度のミシン目に添って一周分を破ることなく剥がすことができる。
【考案を実施するための最良の形態】
【０００９】  以下、本考案の実施形態を図１〜図２に基づいて説明する。【００１０】  図１において、１はロールペーパー本体で、６は巻芯であり、７はロールペーパーである。３のミシン目は長穴状にし、４のＶ字状切り込みより斜目角度にミシン目を設ける。４ａは、剥がし切り取るために、４より数ミリ間隔で形成し手指をあて５の非粘着部を手指でつまみやすくするためである。【００１１】  図１及び図２において、ロールペーパー７の非粘着面５，５ａの５側の片端にＶ字状の切り込み４，４ａを形成する。切り込み４をミシン目３にあわせる。
【図面の簡単な説明】
【００１２】
【図１】  本考案の実施形態を示すローラークリーナーに装着するロールペーパーの全体図及び一部断面図
【図２】  本考案のロールペーパーの展開図
【符号の説明】
【００１３】  １    ロールペーパー本体
２    ロールペーパー粘着面
３    長穴ミシン目
４    ミシン目部のＶ字状切り込み
４ａ  Ｖ字状切り込み
５    ロールペーパーのＶ字状切り込み側の非粘着部
５ａ  ロールペーパーの非粘着部
６    巻芯
７    ロールペーパー
【図１】
0003150752.tif 000003
【図２】
0003150752.tif 000004
【手続補正書】
【提出日】平成21年2月17日(2009.2.17)
【手続補正１】
【補正対象書類名】実用新案登録請求の範囲
【補正対象項目名】請求項１
【補正方法】変更
【補正の内容】
【請求項１】
ローラークリーナーに装着するロールペーパーは、両端に数ミリの幅の非粘着部を有し、片端にＶ字状の切り込みを数ミリ間隔に２箇所形成することにより、使用後、容易に剥がしやすくするために手指をあてやすくしたロールペーパー。
(57)【要約】      （修正有）【課題】手を使わずに足で傘の転倒を防止できる構造を有した石突きを提供する。【解決手段】傘軸に回動可能なペダルを備えた石突きが軸着される。石突きは、ペダル１、回転軸２、球状の回転体３、ソフトシート４および本体５などで構成されており、ボールバルブと類似した内部構造を有している。このペダルを踏むことにより、手を使わずに足で傘の転倒を防止できる。【選択図】図１
0003150755.tif 000002
【実用新案登録請求の範囲】
【請求項１】
回動可能なペダルを備えた石突きで、ペダル、回転軸、球状の回転体、ソフトシートおよび本体などを構成要素として、その内部構造はボールバルブと類似した構造を有し、傘軸の先端に軸着された状態でこのペダルを踏むことにより、手を使わずに足で傘の転倒を防止できる特徴をもつ石突き。
【考案の詳細な説明】
【技術分野】
【０００１】  本考案は、回動可能なペダルを備えることで、手を使わずに足で傘の転倒を防止できる機能を有した石突きに関するものである。
【背景技術】
【０００２】  雨の日などに傘をもって電車などの公共交通に乗車した際、付近に手すりがあれば傘の手元を手すりに掛けることができるが、多くの場合は手で持つこととなる。【０００３】  しかし、傘を手で持つことにより、本や新聞を読む際に不便さが伴う。【０００４】  そのため、手を使わないで傘の転倒を防止して、上記の不便さを解消することは強く望まれている。【０００５】  不便さを解消する手段はいろいろ考えられるが、傘とは別に転倒防止器具を持つ場合には、他の不便さが生じる。また、自立する傘もあるが、発車、停車を繰り返す公共交通社内においては、自立はほとんど不可能と考えられる。されに、傘自体に転倒防止の機能を備えさせる場合には、これまでの使い方に大きな変更を伴わないようにする必要がある。【０００６】  そこで、上記の問題を解決するには、回動可能なペダルを備える石突きが最適と考えられた。【０００７】  回動可能なペダルを備える石突きについては既に提案がなされている。しかしながら、使用方法に不明点がある、耐久性に疑問が残るなど課題が未解決である。そのため、本考案の考案者は、これらの問題を解決する必要があると感じた。
【特許文献１】公開実用新案公報昭６４−３５９１４
【特許文献２】公開実用新案公報平４−７１５１１
【特許文献３】特許公開２００５−２３０４８６
【考案の開示】
【考案が解決しようとする課題】
【０００８】  本校案の課題は、回動可能なペダルを備えることにより、手を使わずに足で傘の転倒を防止できる構造を有した石突きを提供する。
【課題を解決するための手段】
【０００９】  石突き本体内部に、一対のシートで球状の回転体を支持する。この回転体には嵌合溝があり、嵌合突起を有する回転軸と係合している。この回転軸にはペダルが接続している。このペダルは、回転軸のおよび回転体の回動により回動が可能となる。
【考案を実施するための最良の形態】
【００１０】  本体は筒状で、内部にシート座、溝付き貫通孔およびねじ山があり、外部にストッパーが備わる。このシート座にシートを装着する。次に回転軸を挿入するが、回転軸は円柱状で一端は嵌合突起があり、多端には外周部にねじ山が備わる。また嵌合突起の直近部は幅広となる。この回転軸のねじ山側からシートを装着して、ねじ山側を溝付き貫通孔より本体の外側に出す。この状態で、球状の回転体の嵌合溝が回転軸の嵌合突起に嵌るよう挿入する。さらに対となるシートを挿入した上で、外周にねじ山のある止め具をいれてしめつけながら固定する。【００１１】  回転軸に  シート、ワッシャー、ペダルの下穴、スプリングワッシャーおよびナットを装着して、ナットにより締め付ける。ペダルは、シートで支持された回転体の回転によりなめらかに回動する。回動方法は、ペダルの先端を足でおさえながら、手元を前後に動かすことで容易に回動する。【００１２】  上記の石突きが傘の軸に軸着される。このためペダルを回動させて水平方向して、足で踏むことにより、手を使わずに傘の転倒を防ぐことができる。【００１３】  さらに、ストッパーがペダルの回動に制約を与えるため、図５の身体の反対側に倒れることはなくなる。【００１４】  ペダルに緩みが生じてきた場合は、止め具およびナットを締め直すことで、初期の状態に近づく。
【図面の簡単な説明】
【００１５】
【図１】本考案の好ましい一例における石突きの内部構造図である。
【図２】本考案の石突きの内部にある回転体、及び回転軸の斜視図である。
【図３】ペダルを水平方向にした場合の石突きの斜視図である。
【図４】ペダルを垂直方向にした場合の石突きの斜視図である。
【図５】本考案の石突きを軸着した傘を足で支持している状態を示した図である。
【符号の説明】
【００１６】  １ペダル
２回転軸
３回転体
４ソフトシート
５本体
６止め具
７シート座
８ストッパー
９スプリングワッシャー
１０ワッシャー
１１軸用ソフトシート
１２ナット
【図１】
0003150755.tif 000003
【図２】
0003150755.tif 000004
【図３】
0003150755.tif 000005
【図４】
0003150755.tif 000006
【図５】
0003150755.tif 000007
【手続補正書】
【提出日】平成21年2月26日(2009.2.26)
【手続補正１】
【補正対象書類名】実用新案登録請求の範囲
【補正対象項目名】請求項１
【補正方法】変更
【補正の内容】
【請求項１】
回動可能なペダルを備えた石突きで、ペダル、回転軸、球状の回転体、ソフトシートおよび本体などを構成要素として、その内部構造はボールバルブと類似した構造を有す、すなわち、本体は筒状で、内部にシート座、溝付き貫通孔およびねじ山があり、外部にはストッパーが備わり、このシート座にシートが装着され、円柱状で一端は嵌合突起があり多端には外周部にねじ山が備わりかつ嵌合突起の直近部は幅広となる回転軸が、ねじ山側からシートを装着されてねじ山側を溝付き貫通孔より本体の外側に出て、この状態で球状の回転体の嵌合溝が回転軸の嵌合突起に嵌るよう挿入され、さらに対となるシートが挿入され、外周にねじ山のある止め具で固定されており、回転軸のねじ山が備わる側にシート、ワッシャー、ペダル、スプリングワッシャーおよびナットが装着され、ナットにより締め付けられて、シートで支持された回転体の回転によりペダルがなめらかに回動する石突きが傘の軸に軸着されて、ペダルが回動して水平方向になった状態で足で踏むことにより、手を使わずに傘の転倒を防止できる特徴をもつ石突き。
(57)【要約】      （修正有）【課題】靴の裏地に装飾性のある図柄を施したスニーカータイプの履物を提供する。【解決手段】アッパー部分の靴紐を結ぶ箇所の内側に上層部１０を有するスニーカータイプの履物であって、上層部１０の靴紐を結ぶ箇所の裏地の部分に、プリント素材１１を貼り付けられている。アッパーの外観のデザイン性に着目していたものに加え、インナーのデザイン性にも力点をおいた。その結果、消費者が靴を購入時に、実際に手に取った場合、見た目が美しいと思えることになり、新たな需要を喚起できる。【選択図】図１
0003150718.tif 000002
【実用新案登録請求の範囲】
【請求項１】
アッパー部分の靴紐を結ぶ箇所の内側に上層部を有するスニーカータイプの履物であって、
前記上層部の靴紐を結ぶ箇所の裏地の部分に、プリント素材を貼り付けたことを特徴とする履物。
【請求項２】
アッパー部分の靴紐を結ぶ箇所の内側に上層部を有するスニーカータイプの履物であって、
前記上層部の靴紐を結ぶ箇所の裏地の部分に、織物でガラを組むことを特徴とする履物。
【請求項３】
アッパー部分の靴紐を結ぶ箇所の内側に上層部を有するスニーカータイプの履物であって、
前記上層部の靴紐を結ぶ箇所の裏地の部分に、市松模様のガラを貼り付けたことを特徴とする履物。
【考案の詳細な説明】
【技術分野】
【０００１】
本考案は、靴のライニング（裏地）に装飾性のある図柄を施したスニーカータイプの履物に関するものである。
【背景技術】
【０００２】
スニーカーは、消費者が外観のデザインから判断して購入する場合がほとんどである。しかしながら、最近では、靴の裏側を見て、購入する場合も少なくない。そこで、スニーカーの裏地にデザインを施すことで新たな需要を喚起することにした。
【０００３】
一方、着脱自在な装飾片を付属するタイプの履物に関する発明がある（特開２００４−６６７８９号）。これは、ワッペン等の装飾片を履物側面につけて適宜着脱自在に楽しむことができる。
【０００４】
【特許文献１】特開２００４−６６７８９号
【考案の開示】
【考案が解決しようとする課題】
【０００５】
ただし、この公報に記載されたように、装飾片は、履物の中には着脱することは、着物着用中に外れにくいという欠点がある。
【課題を解決するための手段】
【０００６】
上記課題を解決するため、本考案は次のような構成を採用した。請求項１において、アッパー部分の靴紐を結ぶ箇所の内側に上層部を有するスニーカータイプの履物であって、
前記上層部の靴紐を結ぶ箇所の裏地の部分に、プリント素材を貼り付けたことを特徴とする履物とした。
【０００７】
また、請求項２において、アッパー部分の靴紐を結ぶ箇所の内側に上層部を有するスニーカータイプの履物であって、
前記上層部の靴紐を結ぶ箇所の裏地の部分に、織物でガラを組むことを特徴とする履物とした。
【０００８】
更に、請求項３において、アッパー部分の靴紐を結ぶ箇所の内側に上層部を有するスニーカータイプの履物であって、
前記上層部の靴紐を結ぶ箇所の裏地の部分に、市松模様のガラを貼り付けたことを特徴とする履物とした。
【考案の効果】
【０００９】
消費者が靴を購入時に、実際に手に取った場合、見た目が美しいと思える。その結果、新たな需要を喚起できる効果がある。
【考案を実施するための形態】
【００１０】
以下、本考案の好ましい実施の形態について具体的に説明する。
図１は、プリント素材を付着したものである。これは、靴の製造工程の最後に、印刷することで完成する。
すなわち、図１に示す実施形態は、スニーカー１本体の上層部１０の裏面（足の甲側の部分）に所定のプリント素材１１を付着することを特徴としている。このように、今までデザインが施されていなかったスニーカー１の上層部１０の裏面という箇所にデザインを施し、消費者が靴を購入時に、実際に手に取った場合、見た目が美しいと思え、その結果、新たな需要を喚起できるスニーカーが提供される。
【００１１】
図２は、靴の裏地に織物でガラをつけたものであるが、靴の製造工程の最後に機械で刺繍を施すものである。もちろん、手で縫いつけても良い。
図２に示す実施形態も図１に示す実施形態と同様にスニーカー１本体の上層部１０の裏面（足の甲側の部分）に所定の刺繍１２を施すことを特徴としている。このように、今までデザインが施されていなかったスニーカー１の上層部１０の裏面という箇所にデザインを施し、消費者が靴を購入時に、実際に手に取った場合、見た目が美しいと思え、その結果、新たな需要を喚起できるスニーカーが提供される。
【００１２】
図３は、靴の裏地に織物でガラをつけたものであるが、靴の製造工程の最後に所定の模様柄である市松模様のプリント素材を付着する。もちろん、印刷を施すこともできる。
図２に示す実施形態も図１及び図２に示す実施形態と同様にスニーカー１本体の上層部１０の裏面（足の甲側の部分）に市松模様の柄１３を施すことを特徴としている。このように、今までデザインが施されていなかったスニーカー１の上層部１０の裏面という箇所にデザインを施し、消費者が靴を購入時に、実際に手に取った場合、見た目が美しいと思え、その結果、新たな需要を喚起できるスニーカーが提供される。
【産業上の利用可能性】
【００１３】
本考案は、新たな靴の需要を喚起することで、靴の製造メーカーの産業上の利用可能性がある。
【図面の簡単な説明】
【００１４】
【図１】靴の裏地にプリント素材を貼り付けたものである。
【図２】靴の裏地に織物でガラをつけたものである。
【図３】靴の裏地に織物でガラをつけたものである
【符号の説明】
【００１５】
１    スニーカー本体
１０  上層部
１１  プリント素材
１２  刺繍
１３  市松模様の柄
【図１】
0003150718.tif 000003
【図２】
0003150718.tif 000004
【図３】
0003150718.tif 000005
(57)【要約】      （修正有）【課題】予め焼いた大量のお好み焼き用小麦粉生地材を、保管可能に設けたお好み焼き用小麦粉生地材の保管棚を提供する。【解決手段】棚枠左右の上下方向に複数段の棚板収納用受台１′をそれぞれ対向して設け、且つ、棚枠四角脚部にキャスター等の移動装置ＣＡをそれぞれ設けた保管棚本体１と、棚板収納用受台の上面にそれぞれ装着して設け、誰もが容易に前後方向にそれぞれ出し入れ可能にして設けた複数の棚板１ａと、保管棚本体の手前左右に設けた開閉用扉１ｂ，１ｂ′から成るものである。【選択図】図３
0003150712.tif 000002
【実用新案登録請求の範囲】
【請求項１】
お好み焼きに使用する小麦粉生地材を保管する保管棚であって、棚枠左右の上下方向に
複数段の棚板収納用受台（１'）（１'）をそれぞれ対向して設け、且つ、棚枠四角脚部にキャスター等の移動装置（ＣＡ）をそれぞれ設けた保管棚本体（１）と、棚板収納用受台（１'） （１'）の上面にそれぞれ装着して設け、誰もが容易に前後方向にそれぞれ出し入れ可能にして設けた複数の棚板（１ａ）と、保管棚本体（１）の手前左右に設けた開閉用扉（１ｂ）（１ｂ'）から成る事を特徴とするお好み焼き用小麦粉生地材の保管棚。
【考案の詳細な説明】
【技術分野】
【０００１】
この考案は、お好み焼き用小麦粉生地材の保管棚に関するものである。
【背景技術】
【０００２】
従来、お好み焼きはお客様から注文を受けてから、お好み焼きの小麦粉生地材を鉄板の上で焼いていくのが通常であるが、人気のある大きい店等では大勢のお客を長く待たせるわけにはいかないというのが現状である。
【０００３】
そこで、大量のお好み焼き用小麦粉生地材を、予め焼いて、保管可能に設け、且つ、誰もが容易に出し入れ可能に設けたお好み焼き用小麦粉生地材の保管棚の早期開発が望まれている。
【先行技術文献】
【特許文献】
【０００４】
これまでに出願されている保管棚に関する特許文献を参考の為、紹介する（特許文献１参照）。
【特許文献１】特開２００６−２３８９０７
【考案の概要】
【考案が解決しようとする課題】
【０００５】
そこで、上記課題を解決する為に、この考案は誰もが容易に出し入れ可能で、且つ、予め焼いた大量のお好み焼き用小麦粉生地材を、保管可能に設けたお好み焼き用小麦粉生地材の保管棚を開発・提供する事にある。
【課題を解決するための手段】
【０００６】
課題を解決するための手段として、棚枠左右の上下方向に複数段の棚板収納用受台をそれぞれ対向して設け、且つ、棚枠四角脚部にキャスター等の移動装置をそれぞれ設けた保管棚本体と、棚板収納用受台の上面にそれぞれ装着して設け、誰もが容易に前後方向にそれぞれ出し入れ可能にして設けた複数の棚板と、保管棚本体の手前左右に設けた開閉用扉から成るものである。
【考案の効果】
【０００７】
この考案の効果として、棚枠左右の上下方向に複数段の棚板収納用受台をそれぞれ対向して設け、且つ、棚枠四角脚部にキャスター等の移動装置をそれぞれ設けた保管棚本体と、棚板収納用受台の上面にそれぞれ装着して設け、誰もが容易に前後方向にそれぞれ出し入れ可能にして設けた複数の棚板と、保管棚本体の手前左右に設けた開閉用扉から成る事で、大勢の来客にも対応出来、且つ、作業性の向上を図る事でお客に迷惑を掛ける事なく、従来以上の時間短縮が図れる等、極めて有益なる効果を奏するものである。
【図面の簡単な説明】
【０００８】
【図１】この考案の一実施例を示し、（Ａ）は一部欠截平面図で、（Ｂ）は一部欠截正面図である。
【図２】この考案の一実施例を示し、一部欠截右側面図である。
【図３】この考案の使用例を示し、斜視図である。
【考案を実施するための形態】
【０００９】
考案を実施するための形態として、お好み焼きに使用する小麦粉生地材を保管する保管棚であって、棚枠左右の上下方向に複数段の棚板収納用受台（１'）（１'）をそれぞれ対向して設け、且つ、棚枠四角脚部にキャスター等の移動装置（ＣＡ）をそれぞれ設けた保管棚本体（１）と、棚板収納用受台（１'）（１'）の上面にそれぞれ装着して設け、誰もが容易に前後方向にそれぞれ出し入れ可能にして設けた複数の棚板（１ａ）と、保管棚本体（１）の手前左右に設けた開閉用扉（１ｂ）（１ｂ'）から成る事を特徴とするお好み焼き用小麦粉生地材の保管棚から構成される。
【実施例１】
【００１０】
そこで、この考案の一実施例を図１〜図２に基づいて詳述すると、図１（Ａ）お好み焼き用小麦粉生地材の保管棚の一部欠截平面図で、（Ｂ）は一部欠截正面図であって、保管棚本体（１）の材質は全てステンレス製で、大きさは縦寸法１３００ｍｍ×横寸法７００ｍｍ×高さ寸法１２５０ｍｍの矩形状箱形に形成され、且つ、保管棚本体（１）の左右２箇所には、対向した６段のステンレス製のアングル部材から成る棚板収納用受台（１'）をそれぞれ溶着して設け、且つ、四角脚部にキャスター等の移動装置（ＣＡ）をそれぞれ設けて容易に移動可能に設けている。
【００１１】
そして、上記棚板（１ａ）収納用受台（１'）（１'）部には、９枚の小麦粉生地材（ＯＣ）がそれぞれ並置可能で、且つ、収納用受台上部には縦寸法６５０ｍｍ×横寸法５８０ｍｍのステンレス製の棚板（１ａ）を合計１２枚（６枚×左右２箇所）それぞれ設け、又、この棚板（１ａ）の手前側は逆Ｌ字状に折り曲げられており、その折り曲げ部を手で持って前後方向に容易に出し入れ可能にそれぞれ設けている。
【００１２】
又、保管棚本体（１）の手前左右には全開可能な取手付開閉扉（１ｂ）（１ｂ'）がそれぞれ設けられている為、作業性の向上や衛生管理等にも配慮されている。
【００１３】
又、図３は棚板（１ａ）を保管棚本体（１）の収納用受台（１'）（１'）上部へ挿入する時の要領図を示し、この保管棚本体（１）は、１枚当たり９枚の小麦粉生地材（ＯＣ）を並置可能な棚板（１ａ）が１２枚ある為、合計１０８枚の小麦粉生地材（ＯＣ）が収納保管可能である。
【産業上の利用可能性】
【００１４】
この考案のお好み焼き用小麦粉生地材の保管棚は、誰もが容易に出し入れ可能で、且つ、予め焼いた大量のお好み焼き用小麦粉生地材を保管可能に設けた事で、多くのお好み焼き業界に寄与する為、産業上の利用可能性を有する。
【符号の説明】
【００１５】
１  保管棚本体
１'  棚板収納用受台
１ａ  棚板
１ｂ  取手付開閉扉（右）
１ｂ'  取手付開閉扉（左）
ＣＡ  キャスター等の移動装置
ＯＣ  小麦粉生地材
【図１】
0003150712.tif 000003
【図２】
0003150712.tif 000004
【図３】
0003150712.tif 000005
(57)【要約】【課題】  この考案は作業性が良く、鉄板上を損傷すること無く、迅速的、且つ、効率的に綺麗に鉄板上の掃除が可能な、お好み焼き用鉄板研磨具を開発・提供する事にある。【解決手段】  お好み焼き用鉄板台の鉄板上を磨く研磨具において、上面部に握り用取手（１ａ）を設けた断熱性を有する基台（１）と、基台（１）の下面部に半楕円状に装着して設けた金属製束子等の研磨部材（２）を針金等の係止部材（３）で縫着した事を特徴とするものである。【選択図】  図２
0003150711.tif 000002
【実用新案登録請求の範囲】
【請求項１】
お好み焼き用鉄板台の鉄板上を磨く研磨具において、上面部に握り用取手（１ａ）を設けた断熱性を有する基台（１）と、基台（１）の下面部に半楕円状に装着して設けた金属製束子等の研磨部材（２）を針金等の係止部材（３）で縫着した事を特徴とするお好み焼き用鉄板研磨具。
【考案の詳細な説明】
【技術分野】
【０００１】
この考案は、お好み焼き用鉄板研磨具に関するものである。
【背景技術】
【０００２】
従来、お好み焼きの作り方や味付けについては、その地域性や個々によって様々であるが、美味しく、且つ、見た目の綺麗なお好み焼きを作る条件の一つとして挙げると、鉄板の上を綺麗に掃除し、油を満遍無く布いて焼く事が重要である。しかし、現実問題として、現状は鉄板上の焦げ付き等を除去する際にはヘラ等を使用してこさげながら除去している為、非常に労力を要して筋肉痛になり、又、時間が掛かる為、非効率的である。
【０００３】
そこで、上記の問題を解決すべく作業性が良く、鉄板上を損傷すること無く、迅速的、且つ、効率的に綺麗に鉄板上の掃除が可能な、お好み焼き用鉄板研磨具の早期開発が望まれている。
【先行技術文献】
【特許文献】
【０００４】
これまでに出願されているお好み焼き用鉄板研磨具関連の特許文献を参考の為、紹介する（特許文献１〜５参照）。
【特許文献１】特開２００４−０４１２８８
【特許文献２】特開２００４−１３６０５９
【特許文献３】特開２００５−１３１４１８
【特許文献４】特開２００５−２０６６７５
【特許文献５】特開２００５−３１２５５６
【考案の概要】
【考案が解決しようとする課題】
【０００５】
そこで、上記課題を解決する為に、この考案は作業性が良く、鉄板上を損傷すること無く、迅速的、且つ、効率的に綺麗に鉄板上の掃除が可能な、お好み焼き用鉄板研磨具を開発・提供する事にある。
【課題を解決するための手段】
【０００６】
課題を解決するための手段として、上面部に握り用取手を設けた断熱性を有する基台と、基台の下面部に半楕円状に装着して設けた金属製束子等の研磨部材を針金等の係止部材で縫着したものである。
【考案の効果】
【０００７】
この考案の効果として、上面部に握り用取手を設けた断熱性を有する基台と、基台の下面部に半楕円状に装着して設けた金属製束子等の研磨部材を針金等の係止部材で縫着した事で、作業性が良く、鉄板上を損傷すること無く、鉄板上に焦付き、付着した異物を誰もが容易に迅速的、且つ、効率的に綺麗に鉄板上の掃除が可能で、又、断熱性を有する基台を使用する事で鉄板から伝わってくる熱を断ち切り、作業性の向上に効果を発揮する等、極めて有益なる効果を奏するものである。
【図面の簡単な説明】
【０００８】
【図１】この考案の一実施例を示し、（Ａ）は平面図で、（Ｂ）は正面図である。
【図２】この考案の一実施例を示し、右側面図である。
【考案を実施するための形態】
【０００９】
この考案を実施するための形態として、お好み焼き用鉄板台の鉄板上を磨く研磨具において、上面部に握り用取手（１ａ）を設けた断熱性を有する基台（１）と、基台（１）の下面部に半楕円状に装着して設けた金属製束子等の研磨部材（２）を針金等の係止部材（３）で縫着した事を特徴とするお好み焼き用鉄板研磨具から構成される。
【実施例１】
【００１０】
そこで、この考案の一実施例を図１（Ａ）（Ｂ）・図２に基づいて詳述すると、研磨具の基台（１）の寸法形状は平面視が縦１８０ｍｍ×横１３０ｍｍの楕円状で板厚が約１５ｍｍの木製で形成され、且つ、基台（１）の上面部に基台の寸法形状に適合した板厚約１ｍｍのステンレス製の取付板（１ｂ）を二本のタッピングスクリュー等の係止部材（Ｂ）で螺着し、更に取付板（１ｂ）の中央上面にステンレス製の握り用取手（１ａ）を溶着している。又、基台（１）の下面全域には金属製束子等の研磨部材（２）をステンレス製針金等の係止部材（３）を基台（１）及び取付板（１ｂ）の外周に設けた複数の貫通穴部（１ｂ'）に通して縫着している。尚、上記の基台（１）を熱伝導率の低い木製にする事で、鉄板上の熱伝導を遮断し、快適に作業が出来る。
【００１１】
尚、上記の研磨部材（２）は、台所用品として知られている既存の市販品の金属製束子
を使用したもので、鉄板上を円滑、且つ、迅速に掃除し易くする為に、半楕円状に形成している。
【００１２】
そして、このお好み焼き用鉄板研磨具を使用する時は、取手部（１ａ）を握り、軽く押圧し、右又は左回転させながら、鉄板上に付着した異物を取り除く。又、使用後は研磨部材（２）に付着した異物を水洗いして綺麗に掃除する。
【産業上の利用可能性】
【００１３】
この考案のお好み焼き用鉄板研磨具は、作業性が良く、鉄板上を損傷すること無く、迅速的、且つ、効率的に綺麗に鉄板上の掃除が可能な為、多くのお好み焼き市場に寄与する為、産業上の利用可能性を有する。
【符号の説明】
【００１４】
１  基台
１ａ  握り用取手
１ｂ  取付板
１ｂ'  針金貫通用穴
２  金属製束子等の研磨部材
３  針金等の係止部材
Ｂ  ビス等の係止部材
【図１】
0003150711.tif 000003
【図２】
0003150711.tif 000004
(57)【要約】      （修正有）【課題】圧縮形成された携帯に便利な圧縮固形紙おむつを提供する。【解決手段】金型Ａ内において、既存の紙おむつを上下より圧縮固化し、圧縮固化紙おむつを形成する。これにより、小型で携帯に便利な圧縮固化タオルを提供できる。圧縮固形化された紙おむつは、小型で、携帯に便利な形態となり、外出時の保護者の荷物の少量化に最適である。また、保管の面においても、買い置きした場合においても場所を取らず、複数の乳幼児（兄弟や双子など）を持つ家の限られたスペースにも対応できる。また、販売店においても陳列の際に従来の紙おむつほど場所を必要としないため、大手量販店のみならず、コンビニエンスストアやドライブイン、飛行機内や列車内での販売にも適している。さらに、非常用として公的機関において保管されるのにも最適である。【選択図】図１
0003150747.tif 000002
【実用新案登録請求の範囲】
【請求項１】
金型内（筒型、角型、その他のデザイン型）において、上下から圧縮固化される圧縮固化紙おむつである。
【考案の詳細な説明】
【技術分野】
【０００１】本考案は、金型で形成した圧縮固化紙おむつに関するものである。
【背景技術】
【０００２】従来の紙おむつは嵩張り、乳幼児を連れての外出や旅行において持参する荷物の量が多かった。
【考案の開示】
【考案が解決しようとする課題】
【０００３】例えば、外出や旅行などの際には乳幼児用に紙おむつを携帯することが多いが、通常の紙おむつは意外と嵩張るため、持ち運びに不便である。また、乳幼児を抱える保護者は紙おむつ以外にも多くの荷物を持ち運ばねばならず、必然的に大きな鞄を持たねばならなくなり、子供を抱いたりベビーカーを押しながら大荷物を持っての移動は容易ではない。
【課題を解決するための手段】
【０００４】本考案者は、こうした点に鑑み、小型でかつ通常の紙おむつと機能が同様である圧縮固形化紙おむつを製造することを創案した。そのために、現行の圧縮固形タオルを参考に、市販されている紙おむつを金型製の圧縮機にかけ、最小化することを試みた。【０００５】そして、それを実現するために、図１に示す試作金型Ａを使用した。試作に使用された金型は筒型であり、上下ともに平面（ａ、ｂ）になっている。これにより現存する紙おむつを圧縮して固化した。【０００６】その際、圧縮固形化された紙おむつが小さすぎると、開封する際に堅すぎて開きにくくなることがわかり、適度な圧縮度を保てる大きさになるよう工夫した。
【考案の効果】
【０００７】圧縮固形化された紙おむつは、小型で、携帯に便利な形態となり、外出時の保護者の荷物の少量化に最適である。また、保管の面においても、買い置きした場合においても場所を取らず、複数の乳幼児（兄弟や双子など）などを持つ家の限られたスペースにも対応できる。また、販売店においても陳列の際に従来の紙おむつほど場所を必要としないため、大手量販店のみならず、コンビニエンスストアやドライブイン、飛行機内や列車内での販売にも適している。
さらに、非常用として公的機関において保管されるのにも最適である。【０００８】度重なる試作と試用の後、開封作業時に紙おむつに亀裂が入ることは殆どないことが確認された。【０００９】また、圧縮固形化された紙おむつを開封した後においても、圧縮固形化される前と変わらない機能が維持できることが確認された。
【図面の簡単な説明】
【００１０】
【図１】試作金型Ａを示す断面図である。
【図２】図１に示す試作金型Ａによって製造した圧縮固化紙おむつを示す側面図である。
【図３】図１に示す試作金型Ａによって製造した圧縮固化紙おむつを示す正面図である。筒型（ｃ１）、角型（ｃ２）、その他デザイン（ｃ３）などの金型により正面図は異なる。
【図４】圧縮固化紙おむつを製造する工程を示す図である。
【符号の説明】
【００１１】Ａ  金型
ａ  上型
ｂ  下型
ｃ  上面
ｄ  側面
ｅ  紙おむつ作業前
ｆ  型の大きさに合わせて折りたたまれた紙おむつｅ
ｇ  金型Ａに挿入されるｆ
【図１】
0003150747.tif 000003
【図２】
0003150747.tif 000004
【図３】
0003150747.tif 000005
【図４】
0003150747.tif 000006
【手続補正書】
【提出日】平成21年2月26日(2009.2.26)
【手続補正１】
【補正対象書類名】実用新案登録請求の範囲
【補正対象項目名】全文
【補正方法】変更
【補正の内容】
【実用新案登録請求の範囲】
【請求項１】
金型内において、上下から圧縮固化される携帯用固形圧縮紙おむつ。
【手続補正２】
【補正対象書類名】明細書
【補正対象項目名】０００３
【補正方法】変更
【補正の内容】
【０００３】例えば、外出や旅行などの際には乳幼児用、成人用、またペット用の紙おむつを携帯することが多いが、通常の紙おむつは意外と嵩張るため、持ち運びに不便である。また、乳幼児を抱える保護者は紙おむつ以外にも多くの荷物を持ち運ばねばならず、必然的に大きな鞄を持たねばならなくなり、子供を抱いたりベビーカーを押しながら大荷物を持っての移動は容易ではない。